(57)【要約】      （修正有）【課題】複雑で種類の多いゴミ出し日について、年間を通じて本日は何のゴミが出せるのかが容易にわかる様にし、ゴミ出しを忘れないようゴミ出しの種類を間違わないようにする月めくりカレンダーとゴミ出し表示した合成樹脂膜を提供する。【解決手段】月めくりカレンダーの綴じ部に、カレンダーが透けて見える各曜日枠の横幅を持ちカレンダーの日にちの枠内にゴミ出しの種類がわかる表示６を設けた合成樹脂膜３の係止と分離ができる固定部２（面ファスナー）を設け、月毎に曜日ごとにゴミ出し表示した合成樹脂膜を上下に移動させてカレンダーの前面に垂らすことで、各地域のゴミ出し方法が容易にわかる様になる。【選択図】図１
0003198256.tif 000002
【実用新案登録請求の範囲】
【請求項１】
月めくりカレンダーの不要になったカレンダーを取り除いた後も残るカレンダーの綴じ部に磁石を引き付ける板あるいはシートまたは面ファスナーの片側（フック側またはループ側）または粘着性のある薄膜を固定し、カレンダーが透けて見える合成樹脂膜の幅はカレンダーの各曜日枠の横幅以内で最上部と最上部からカレンダーの日付の枠の縦方向の長さを空けた位置へ磁石または面ファスナーの反片側（フック側またはループ側）を固定し、最上部とその下の磁石または面ファスナーはカレンダーの綴じ部に固定した磁石を引き付ける板あるいはシートまたは面ファスナーまたは粘着性のある薄膜と係止および分離ができる材質のカレンダーが透けて見える合成樹脂膜を係止および分離ができ、カレンダーが透けて見える合成樹脂膜の長さはカレンダーの綴じ部に最上部の下の磁石または面ファスナーまたは粘着性のある薄膜と係止および分離ができる材質のカレンダーが透けて見える合成樹脂膜を係止したときカレンダーの第５週までの日付を覆う長さとし、カレンダーの第１週から第５週までの各枠の横線に合わせた横線を設け、カレンダーに表示された曜日と重ならない近傍に同じ曜日を設け、ゴミ出し日にはカレンダーの日付と重ならず、その日付の枠内にゴミ出しの種類に応じた文字やイラストの記入またはシールを貼って表示を行い、日曜日から土曜の各曜日毎に必要な曜日のカレンダーが透けて見える合成樹脂膜をカレンダーの前面に垂らした月めくりカレンダーとゴミ出し表示合成樹脂膜。
【考案の詳細な説明】
【技術分野】
【０００１】
この考案は、１年間ゴミ出し日を忘れないよう、また間違えない様にするために、月めくりカレンダーと月別に日曜日から土曜日までの各曜日の第一日への移動が可能でカレンダーが透けて見え、ゴミ出し日とそのゴミの種類を明示したゴミ出し合成樹脂膜の組み合わせに関する。
【背景技術】
【０００２】
一般にゴミ出し日は、種類と曜日が多く複雑になっているため、本日は何を出せるのか、毎週出せるようなものはよいが回数の少ないものは特にいちいち調べなくてはならず、つい忘れてしまったということがある。平成２７年３月の滋賀県大津市国分１丁目を例にすると、燃やせるゴミは毎週水曜日と土曜日、燃やせないごみは第１木曜日、缶は第一火曜日と第三火曜日、ビンは第３木曜日、ペットボトルは第２と第４火曜日、プラスチック製容器包装は毎週金曜日となっている。ゴミを出す人がほしい情報は今日は何が出せるのかである。１年間本日のゴミ出しの可否と種類がわかりゴミ出しを忘れない、また間違えない月めくりカレンダーとゴミ出し表示合成樹脂膜を提供する。
【先行技術文献】
【特許文献】
【０００３】
【特許文献１】この種の従来技術としては、実用新案登録第３１６５６１４号があるが、同じ透明の合成樹脂膜で１年間の利用ができないこと、位置の移動ができない不便さがある。
【非特許文献】
【０００４】
【非特許文献１】月別カレンダーに直接ゴミ出し日の種類を記入したり、シールを貼る方法はあるが、労力を要するし、間違う可能性もある。
【考案の概要】
【考案が解決しようとする課題】
【０００５】
複雑で種類の多いゴミ出し日について、年間を通じて本日は何のゴミが出せるのかが容易にわかる様にし、ゴミ出しを忘れないようゴミ出しの種類を間違わないようにする課題がある。
【課題を解決するための手段】
【０００６】
この考案は上記する課題を解決するため、月めくりカレンダーの不要になったカレンダーを取り除いた後も残るカレンダーの綴じ部に磁石を引き付ける板あるいはシートまたは面ファスナーの片側（フック側またはループ側）または粘着性のある薄膜を固定し、カレンダーが透けて見える合成樹脂膜の幅はカレンダーの各曜日枠の横幅以内で最上部と最上部からカレンダーの日付の枠の縦方向の長さを空けた位置へ磁石または面ファスナーの反片側（フック側またはループ側）を固定し、最上部とその下の磁石または面ファスナーはカレンダーの綴じ部に固定した磁石を引き付ける板あるいはシートまたは面ファスナーまたは粘着性のある薄膜と係止および分離ができる材質のカレンダーが透けて見える合成樹脂膜を係止および分離ができ、カレンダーが透けて見える合成樹脂膜の長さはカレンダーの綴じ部に最上部の下の磁石または面ファスナーまたは粘着性のある薄膜と係止および分離ができる材質のカレンダーが透けて見える合成樹脂膜を係止したときカレンダーの第５週までの日付を覆う長さとし、カレンダーの第１週から第５週までの各枠の横線に合わせた横線を設け、カレンダーに表示された曜日と重ならない近傍に同じ曜日を設け、ゴミ出し日にはカレンダーの日付と重ならず、その日付の枠内にゴミ出しの種類に応じた文字やイラストの記入またはシールを貼って表示を行い、日曜日から土曜の各曜日毎に必要な枚数のカレンダーが透けて見える合成樹脂膜をカレンダーの前面に垂らした月めくりカレンダーとゴミ出し表示合成樹脂膜を提供する。
【考案の効果】
【０００７】
ゴミ出し日は、種類と曜日が多く複雑になっているが、月めくりカレンダーに曜日毎に上下の移動ができカレンダーが透けて見えるゴミ出し表示合成樹脂膜を係止することによって、今日何のゴミが出せるのか、１年間明確に容易に表示することができるため、ゴミ出しを忘れることもなく、間違った種類のゴミ出しを行うこともなくなる。
【図面の簡単な説明】
【０００８】
【図１】月めくりカレンダーの２０１５年３月分（１）の上部綴じ部に面ファスナーのフック側（２）を固定したところに火曜日から土曜日の曜日毎に最上部（４）と最上部からカレンダーの日にち枠の縦の長さ分下方（５）に面ファスナーのループ側を固定し、（２）と（５）の位置でカレンダーが透けて見える合成樹脂膜を合計５枚係止し、各合成樹脂膜には合成樹脂膜が外れた時も何曜日用の合成樹脂膜かわかるように曜日（７）を記入し、各曜日の第１週から４週までにはゴミ出しの種類（６）を表示した滋賀県大津市国分１丁目の場合の月めくりカレンダーとゴミ出し表示合成樹脂膜の実施例を示す正面図。
【図２】月めくりカレンダーの２０１５年４月分（１０）は図１の３月分とは変わり火曜日の第１日目の７日が第１火曜日となり、カレンダーの第２週目の行になるため、火曜日用のゴミ出し表示合成樹脂膜のみを１段下げて面ファスナーループの最上段（９）を上部綴じ部の面ファスナーのフック側（２）と係止させことで、４月分のゴミ出し日に対応させることができることを示した滋賀県大津市国分１丁目の場合の月めくりカレンダーとゴミ出し表示合成樹脂膜の実施例を示す正面図。他の曜日も必要に応じ同様に移動できる。
【図３】火曜日用のゴミ出し表示合成樹脂膜（３）の正面図。最上部（４）と最上部下段（８）に面ファスナーループを固定し、ゴミ出しの種類（６）を表示している。
【図４】月めくりカレンダーの2015年４月分（１０）の上部綴じ部に粘着性のある膜を粘着面を表面に固定（１４）したところに、ゴミ出し表示合成樹脂膜には固定用の加工は施さず粘着面（１４）と係止と分離ができる材質のものを選択し貼り付け位置の明示（１１）、（１２）とゴミ出しの種類（６）を表示して、火曜日は最上段を粘着部（１４）に係止し、水曜日から土曜日の曜日毎のゴミ出し表示シートは最上部（１１）の下段の部分で粘着部（１４）と係止して火曜日から土曜日のそれぞれの第一日に位置を合わせた滋賀県大津市国分１丁目の場合の月めくりカレンダーとゴミ出し表示合成樹脂膜の実施例を示す正面図。
【図５】図４の右側面図。（１３）はカレンダーの上部綴じ部。
【考案を実施するための形態】
【０００９】
月めくりカレンダーの上部綴じ部に、曜日ごとに第１週から第５週のゴミ出しの種類がわかり、カレンダーの表示を妨ずカレンダーの月別に応じて第１週行か第２週行へ移動させ係止と分離ができるゴミ出し日が表示された合成樹脂膜をカレンダーの前面に垂らすことで月ごとのゴミ出し日が1年間明示できる月めくりカレンダーとゴミ出し日が表示された合成樹脂膜を形成する。
【実施例】
【００１０】
図１は本考案の第１実施例に基づく正面図である。月めくりカレンダーの２０１５年３月分（１）の上部綴じ部に面ファスナーのフック側（２）を接着固定したところに火曜日から土曜日の曜日毎に最上部（４）と最上部からカレンダーの日にち枠の縦の長さ分下方の面ファスナーのループ側（５）を接着固定し、（２）と（５）の位置でカレンダーが透けて見える厚さ０．１ｍｍの透明なポリエステルフイルムをカレンダーの曜日の幅、日にちの枠の長さに合わせ、幅５０mm長さ５５０ｍｍの大きさにし合計５枚係止し、各ポリエステルフイルムにはカレンダーから外れた時も何曜日用のものかわかるように曜日（７）を記入し、各曜日の第１週から４週までにはゴミ出しの種類（６）を表示した。ゴミの種類は略称の文字でもイラストでもよいが、カレンダーの日にちの予定を記入する空欄をできる範囲で有効活用できる程度の大きさで、しかも目の悪い人でも良くわかる大きさのものがよい。またゴミ出し日と種類は地域によって違うため、簡単に自分の地域にあった表示ができるようシールにした方が万民が容易に利用できる。本実施例は滋賀県大津市国分１丁目の場合の月めくりカレンダーとゴミ出し表示の実施例を示した。ポリエステルフイルムが薄肉で柔軟性があるため３月のカレンダーを上部綴じ部の点線切込み部から破って４月のカレンダーに更新する際も邪魔にならず、容易に更新できることを確認した。
【００１１】
図４は本考案の第２実施例に基づく正面図である。月めくりカレンダーの２０１５年４月分（１０）の上部綴じ部に粘着テープとしてセロファンテープの粘着部を表側とし裏側に粘着両面テープを貼って上部綴じ部に火曜日から土曜日に必要な長さの２５０ｍｍの粘着部（１４）を作成し、火曜日から土曜日の曜日毎に最上部（１１）と最上部からカレンダーの日にち枠の縦の長さ７３ｍｍの下方（１２）の位置へ粘着部への粘着位置を示す横線をマジックインクで記入した。火曜日は第１日目がカレンダーの第２週の行になるため、最上部の位置（１１）を粘着部に粘着させ、水曜日から土曜日は第１日目がカレンダーの第１週の行になるため下方（１２）の位置を粘着部と粘着させた。カレンダーが透けて見える厚さ０．１ｍｍの透明なポリエステルフイルムをカレンダーの曜日の幅、日にちの枠の長さに合わせ、幅５０mm長さ５５０ｍｍの大きさにし合計５枚係止し、各ポリエステルフイルムにはカレンダーから外れた時も何曜日用のものかわかるように曜日（７）を記入し、各曜日の第１週から４週までにはゴミ出しの種類（６）を表示した。ゴミの種類は略称の文字でもイラストでもよいが、カレンダーの日にちの予定を記入する空欄をできる範囲で有効活用できる程度の大きさで、しかも目の悪い人でも良くわかる大きさのものがよい。またゴミ出し日と種類は地域によって違うため、簡単に自分の地域にあった表示ができるようシールにした方が万民が容易に利用できる。ポリエステルフイルムが粘着部と容易に係止と分離ができることを確認した。本実施例は滋賀県大津市国分１丁目の場合の月めくりカレンダーとゴミ出し表示の実施例を示した。粘着部は上部綴じ部に直接粘着剤を塗って、使用前はくっつかない様保護フイルムを貼っておく方法も考えられる。
【産業上の利用可能性】
【００１２】
本考案は、１年間月毎に本日のゴミ出しの種類が明確に表示されることで、ゴミ出し日を忘れることなく、種類を間違うこともない月めくりカレンダーとゴミ出し表示合成樹脂膜を新規に提供することで広く利用されるものである。
【符号の説明】
【００１３】
１    ２０１５年３月を表示した月めくりカレンダー
２    カレンダーの綴じ部に固定した面ファスナーフック側
３    ゴミ出し表示合成樹脂膜
４    最上部に固定した面ファスナーループ側
５    最上部の下段に固定した面ファスナーループ側
６    ゴミ出し種類の表示
７    カレンダーの曜日に合わせた曜日の表示
８    面ファスナーフックから分離した下段の面ファスナーループ側
９    面ファスナーフック側と係止した最上段の面ファスナーループ側
１０    ２０１５年４月を表示した月めくりカレンダー
１１       合成樹脂膜に貼り付け位置のみを記入した最上部固定位置
１２    合成樹脂膜に貼り付け位置のみを記入した下段部固定位置
１３    月めくりカレンダーの綴じ部
１４    粘着膜
【図１】
0003198256.tif 000003
【図２】
0003198256.tif 000004
【図３】
0003198256.tif 000005
【図４】
0003198256.tif 000006
【図５】
0003198256.tif 000007